(57)【要約】【課題】本発明は、部品の消耗の度合いを均等にさせることができ、複数のエレベータを一括で保守点検する際に、保守効率を向上させることができるエレベータシステムを得ることを目的とするものである。【解決手段】複数のエレベータは、それぞれ各台制御装置１によりかごの運転、及びドアの開閉等を制御される。各台制御装置１は、群管理制御装置２に接続されている。群管理制御装置２は、通常運行モードと運行休止モードとを含む複数の運行モードにより、エレベータの運行をそれぞれ制御する。各台制御装置１は、運転制御手段１ａ、各台通信手段１ｂ及び運転休止手段１ｃを有している。群管理制御装置２は、群管理制御手段２ａ、サービス状況判断手段２ｂ、運行休止時間測定手段２ｃ、運行休止エレベータ除外手段２ｄ、運行休止エレベータ選択手段２ｅ及び群管理通信手段２ｆを有している。【選択図】図１
2007119103.tif 000002
【特許請求の範囲】
【請求項１】
通常運行モードと運行休止モードとを含む複数の運行モードにより、複数のエレベータの運行をそれぞれ制御するとともに、計測した上記エレベータ毎の累計休止時間と現在のサービス状況とに応じて、上記エレベータ毎の運行モードを切り替える群管理制御装置
を備えていることを特徴とするエレベータシステム。
【請求項２】
上記群管理制御装置は、乗場からのかごの呼び登録状態を監視することによって、現在のサービス状況を判断することを特徴とする請求項１記載のエレベータシステム。
【請求項３】
上記群管理制御装置は、現在のサービス状況に応じて、累計休止時間が最も短く通常運行モードで制御されている上記エレベータを運行休止モードに切り替えるとともに、累計休止時間が最も長く運行休止モードで制御されている上記エレベータを通常運行モードに切り替えることを特徴とする請求項１又は請求項２に記載のエレベータシステム。
【請求項４】
上記運行休止モードとは、かごの昇降を停止させるとともに、上記かご内の照明を消灯させる運行モードであることを特徴とする請求項１〜請求項３のいずれかに記載のエレベータシステム。
【発明の詳細な説明】
【技術分野】
【０００１】
この発明は、複数のエレベータを一群として管理するエレベータシステムに関するものである。
【背景技術】
【０００２】
従来のエレベータの群管理制御装置は、サービス状況とかごの運転状況とに応じて、かごを休止状態にさせ、休止状態のかご内の照明を消灯させる（例えば、特許文献１参照）。
【０００３】
【特許文献１】特開平８−７３１３７号公報
【発明の開示】
【発明が解決しようとする課題】
【０００４】
上記のような従来のエレベータの群管理制御装置は、各エレベータの休止状態の時間に対して無関係にエレベータを運行させており、エレベータ毎の使用頻度及び稼働時間がそれぞれ異なっていたため、エレベータ毎の部品の消耗の度合いに差が生じることがあった。このため、複数のエレベータを一括で保守点検する際には、エレベータ毎の交換部品が異なり、保守効率が低下していた。
【０００５】
この発明は、上記のような課題を解決するためになされたものであり、部品の消耗の度合いを均等にさせることができ、複数のエレベータを一括で保守点検する際に、保守効率を向上させることができるエレベータシステムを得ることを目的とする。
【課題を解決するための手段】
【０００６】
この発明に係るエレベータシステムは、通常運行モードと運行休止モードとを含む複数の運行モードにより、複数のエレベータの運行をそれぞれ制御するとともに、計測したエレベータ毎の累計休止時間と現在のサービス状況とに応じて、エレベータ毎の運行モードを切り替える群管理制御装置を備えている。
【発明の効果】
【０００７】
この発明のエレベータシステムは、各かごの累計休止時間と現在のサービス状態とに応じてエレベータ毎の運行モードをそれぞれ切り替えるので、部品の消耗の度合いを均等にさせることができ、複数のエレベータを一括で保守点検する際に、保守効率を向上させることができる。
【発明を実施するための最良の形態】
【０００８】
以下、この発明を実施するための最良の形態について、図面を参照して説明する。
実施の形態１．
図１は、この発明の実施の形態１によるエレベータシステムの制御系を示すブロック図である。図において、複数のエレベータは、それぞれ各台制御装置１を有している。各台制御装置１は、対応するエレベータのかごの運転、及びドアの開閉等を制御する。各台制御装置１は、群管理制御装置２に接続されている。群管理制御装置２は、複数のエレベータを一群のエレベータ群として一括管理している。また、群管理制御装置２は、通常運行モードと運行休止モードとを含む複数の運行モードにより、複数のエレベータの運行をそれぞれ制御する。ここで、運行休止モードとは、かごの昇降を停止させるとともに、かご内の照明を消灯させる運行モードである。
【０００９】
各台制御装置１は、運転制御手段１ａ、各台通信手段１ｂ及び運転休止手段１ｃを有している。運転制御手段１ａは、各台制御装置１全体を制御する。これとともに、エレベータの動作は、運転制御手段１ａにより制御される。各台通信手段１ｂは、群管理制御装置２との通信を行う。運転休止手段１ｃは、群管理制御装置２が対応するエレベータの運行モードを通常運行モードから運行休止モードに切り替えたことを受けて、かごの運転を停止させる。
【００１０】
群管理制御装置２は、群管理制御手段２ａ、サービス状況判断手段２ｂ、運行休止時間測定手段２ｃ、運行休止エレベータ除外手段２ｄ、運行休止エレベータ選択手段２ｅ及び群管理通信手段２ｆを有している。群管理制御手段２ａは、群管理制御装置２全体及び各台制御装置１を制御する。
【００１１】
サービス状況判断手段２ｂは、各階の乗場とかごとの呼び登録状態を監視することによって、現在のサービス状況を判断する。また、サービス状況判断手段２ｂは、各階の乗場とかごとの呼び登録状態と、現在のサービス状況とに応じて、各階の乗場の予測待ち時間を算出する。ここで、予測待ち時間とは、呼び登録の発生した乗場に最も近いかごが、その乗場へ最短で到着するまでの予測時間である。
【００１２】
運行休止時間測定手段２ｃは、休止経過時間を測定し、休止経過時間の累計である累計休止時間を算出する。休止経過時間とは、各エレベータの運行モードが通常運行モードから運行休止モードに切り替わった時点からの経過時間である。また、休止経過時間は、該当のエレベータの運行モードが運行休止モードから通常運行モードに切り替わることによって、リセットされる。
【００１３】
運行休止エレベータ除外手段２ｄは、現在のサービス状況に応じて、累計休止時間が最も短く、通常運行モードで制御されているエレベータを選択する。運行休止エレベータ選択手段２ｅは、現在のサービス状況に応じて、累計休止時間が最も長く、運行休止モードとなっているエレベータを選択する。群管理通信手段２ｆは、複数の各台制御装置１と通信する。従って、群管理制御装置２は、計測したエレベータ毎の累計休止時間と、現在のサービス状況とに応じて、エレベータ毎の運行モードを切り替える。
【００１４】
また、群管理制御装置２には、サービス状況毎に対応する所定休止台数が予め設定されている。群管理制御装置２は、サービス状況と所定休止台数とに基づいて、運行休止モードにさせるエレベータの台数を決定する。また、群管理制御装置２は、エレベータ群の中の少なくとも１台のエレベータの運行モードを通常運行モードに維持させる。
【００１５】
さらに、群管理制御装置２には、運行休止モードに対応する所定待機時間が設定されている。所定待機時間とは、エレベータの運行モードを運行休止モードに維持させるための時間である。群管理制御装置２は、サービス状況が悪くなっている場合、又は休止経過時間と所定待機時間とを比較し、休止経過時間が所定待機時間を超過している場合に、運行休止モードとなっているエレベータの運行モードを通常運行モードに切り替える。
【００１６】
ここで、各台制御装置１及び群管理制御装置２は、演算処理部（ＣＰＵ）、記憶部（ＲＯＭ、ＲＡＭ及びハードディスク等）及び信号入出力部を持ったマイクロコンピュータ（図示せず）によりそれぞれ構成することができる。各台制御装置１のマイクロコンピュータの記憶部には、運転制御手段１ａ、各台通信手段１ｂ及び運転休止手段１ｃの機能を実行するためのプログラムが格納されている。また、群管理制御装置２のマイクロコンピュータ記憶部には、群管理制御手段２ａ、サービス状況判断手段２ｂ、運行休止時間測定手段２ｃ、運行休止エレベータ除外手段２ｄ、運行休止エレベータ選択手段２ｅ及び群管理通信手段２ｆの機能を実行するためのプログラムが格納されている。
【００１７】
さらに、運行休止時間測定手段２ｃが算出した各エレベータの累計休止時間のデータが事前にメモリ内に与えられた変数領域を超過すると、群管理制御装置２のマイクロコンピュータでオーバフロー（桁あふれ）が発生する。このオーバフローを防ぐために、累計休止時間のデータが所定値に達すると、運行休止時間測定手段２ｃは、エレベータ群における最も短い累計休止時間に基づいて、全エレベータの累計休止時間を算出し、既存の累計休止時間を更新する。新しい累計休止時間の関係を次式に示す。
（新しい累計休止時間）＝（計測した累計休止時間）−（群中の最も短い累計休止時間）
【００１８】
次に、動作について説明する。図２は、図１の群管理制御装置２による運行モードの切替動作を示すフローチャートである。図２の運行モードの切替動作は、所定の周期毎に繰り返される。まず、群管理制御装置２は、各階の予測待ち時間から所定休止台数を求める（ステップＳＴ１）。次に、群管理制御装置２は、運行休止モードとなっているエレベータの台数と、現在のサービス状況に対応する所定休止台数とを比較する（ステップＳＴ２及びＳＴ３）。そして、運行休止モードとなっているエレベータの台数が所定休止台数よりも多い場合（ステップＳＴ２のＹＥＳ方向）、群管理制御装置２は、累計休止時間が最も長く運行休止モードとなっているエレベータを通常運行モードに切り替える（ステップＳＴ４）。そして、群管理制御装置２は、次の動作（ステップＳＴ８）へと移行する。
【００１９】
また、運行休止モードとなっているエレベータの台数が所定休止台数よりも少ない場合（ステップＳＴ３のＹＥＳ方向）、群管理制御装置２は、通常運行モードで運行を制御されている各エレベータの中から最も累計休止時間が短いエレベータを選択し、選択したエレベータを通常運行モードから運行休止モードへと切り替える（ステップＳＴ７）。そして、群管理制御装置２は、次の動作（ステップＳＴ８）へと移行する。
【００２０】
さらに、運行休止モードとなっているエレベータの台数が所定休止台数と同数の場合（ステップＳＴ３のＮＯ方向）、群管理制御装置２は、運行休止モードとなっているエレベータの中に休止経過時間が所定待機時間を超過したエレベータが有るかどうかを判断する（ステップＳＴ５）。所定待機時間を超過したエレベータが有る場合、群管理制御装置２は、運行休止モードとなっているエレベータの中から、累計休止時間が最も長いエレベータを、運行休止モードから通常運行モードへと切り替える（ステップＳＴ６）。
【００２１】
そして、群管理制御装置２は、通常運行モードとなっている複数のエレベータの中から最も累計休止時間が短いエレベータを１台選択し、選択したエレベータを通常運行モードから運行休止モードへと切り替える（ステップＳＴ７）。そして、群管理制御装置２は、次の動作（ステップＳＴ８）へと移行する。
【００２２】
一方、所定待機時間を超過したエレベータが無い場合、群管理制御装置２は、そのまま次の動作（ステップＳＴ８）へと移行する。
【００２３】
そして、群管理制御装置２は、かごを割り当てすべき乗場呼び登録が発生したかどうかを確認する（ステップＳＴ８）。乗場呼び登録が発生した場合、群管理制御装置２は、通常運行モードで制御されているエレベータの中から割り当てるエレベータを選択し（ステップＳＴ９）、この運行モードの切替動作を終了させる。乗場呼び登録が発生しなかった場合、群管理制御装置２は、そのままこの運行モードの切替動作を終了させる。
【００２４】
上記のようなエレベータシステムでは、各かごの累計休止時間と現在のサービス状態とに応じてエレベータ毎の運行モードをそれぞれ切り替えるので、各エレベータの稼働時間を均等にさせることができる。これに伴い、エレベータの部品の消耗の度合いを均等にさせることができる。また、複数のエレベータを一括で保守点検する際に、エレベータの部品交換点数を統一可能なため、保守効率を向上させることができる。
【００２５】
また、群管理制御装置に所定待機時間を設定することによって、運行休止モードとなったエレベータの運行モードを所定待機時間切り替えないので、各エレベータの運行休止モードへ移行した回数（使用頻度）を均等にさせることができ、かご内の照明等の点灯・消灯切り替えによる劣化の度合いをエレベータ群内で均等にさせることができる。
【００２６】
なお、実施の形態１では、累計休止時間のデータが一定値に達した時に既存の累計休止時間をリセットしていたが、エレベータ群の一括保守点検を受けた際に、作業員から既存の累計休止時間をリセットされてもよい。
【図面の簡単な説明】
【００２７】
【図１】この発明の実施の形態１によるエレベータシステムの制御系を示すブロック図である。
【図２】図１の群管理制御装置による運行モードの切替動作を示すフローチャートである。
【符号の説明】
【００２８】
２  群管理制御装置。
【図１】
2007119103.tif 000003
【図２】
2007119103.tif 000004